【手続補正書】
【提出日】平成16年12月9日(2004.12.9)
【手続補正１】
【補正対象書類名】明細書
【補正対象項目名】特許請求の範囲
【補正方法】変更
【補正の内容】
【特許請求の範囲】
【請求項１】
予め定められたキーワードを記憶する手段と、
ユーザによるテキストの入力を受ける手段と、
表示画面上に情報を表示する表示手段と、
前記入力されたテキスト内に前記キーワードが存在するか否かをチェックする手段と、
前記キーワードが存在した場合、当該テキストに対して、そのキーワードに対応する、当該テキストおよび／または背景イメージの所定の表示属性を付加する手段と、
前記テキストに前記所定の表示属性が付加されたテキスト情報をメッセージとして通信ネットワークを介して送信する手段と、
前記通信ネットワークを介してメッセージを受信する手段と、
前記メッセージを前記表示画面上に表示する表示制御手段と、
を備えたことを特徴とする端末装置。
【請求項２】
予め定められたキーワードが前記入力されたテキスト内に存在した場合には、当該テキストに対して、そのキーワードに対応する、前記テキストの表示属性および前記背景イメージの表示属性の双方を付加することを特徴とする請求項１に記載の端末装置。
【請求項３】
前記背景イメージの所定の表示属性は、当該イメージの動きを定める表示属性を含むことを特徴とする請求項１または２に記載の端末装置。
【請求項４】
前記テキストの所定の表示属性は、当該テキストの文字の動きの表示属性を含むことを特徴とする請求項１〜３のいずれかに記載の端末装置。
【請求項５】
前記背景イメージの表示属性は当該イメージの動きを定める表示属性を含み、前記テキストの表示属性は当該テキストの文字の動きの表示属性を含むことを特徴とする請求項２に記載の端末装置。
【請求項６】
キーワードとこのキーワードに対応する表示属性とをユーザが登録する手段を備えたことを特徴とする請求項１〜５のいずれかに記載の端末装置。
【請求項７】
通信ネットワークを介して端末装置と接続されるサーバであって、
予め定められたキーワードを記憶する手段と、
前記通信ネットワークを介して前記端末装置からテキストメッセージを受信する手段と、
この受信されたテキスト内に前記キーワードが存在するか否かをチェックする手段と、
前記キーワードが存在した場合、当該テキストに対して、そのキーワードに対応する、当該テキストおよび／または背景イメージの所定の表示属性を付加する手段と、
前記テキストに前記所定の表示属性が付加されたメッセージを前記テキストメッセージの宛先に送信する手段と、
を備えたことを特徴とするサーバ。
【請求項８】
予め定められたキーワードが前記受信されたテキスト内に存在した場合には、当該テキストに対して、そのキーワードに対応する、前記テキストの表示属性および前記背景イメージの表示属性の双方を付加することを特徴とする請求項７に記載のサーバ。
【請求項９】
前記背景イメージの所定の表示属性は、当該イメージの動きを定める表示属性を含むことを特徴とする請求項７または８に記載のサーバ。
【請求項１０】
前記テキストの所定の表示属性は、当該テキストの文字の動きを定める表示属性を含むことを特徴とする請求項７〜９のいずれかに記載のサーバ。
【請求項１１】
前記背景イメージの所定の表示属性は当該イメージの動きを定める表示属性を含み、前記テキストの表示属性は当該テキストの文字の動きの表示属性を含むことを特徴とする請求項８に記載のサーバ。
【請求項１２】
前記通信ネットワークを介して、ユーザ対応に、キーワードと当該キーワードに対応する表示属性との登録を受け付ける手段を備えたことを特徴とする請求項７〜１１のいずれかに記載のサーバ。
【請求項１３】
通信ネットワークを介して端末装置と接続されるサーバであって、
予め定められたキーワードを記憶する手段と、
前記通信ネットワークを介して前記端末装置からテキストメッセージを受信する手段と、
この受信されたテキスト内に前記キーワードが存在するか否かをチェックする手段と、
前記キーワードが存在した場合、当該テキストに対して、そのキーワードに対応する当該テキストおよび／または背景イメージの所定の表示属性を付加する手段と、
前記テキストに前記所定の表示属性が付加されたメッセージをウェブ情報の形式で前記テキストメッセージの宛先のユーザが閲覧できるように蓄積する手段と、
を備えたことを特徴とするサーバ。
【請求項１４】
予め定められたキーワードが前記受信されたテキスト内に存在した場合は、当該テキストに対して、そのキーワードに対応する、前記テキストの表示属性および前記背景イメージの表示属性の双方を付加することを特徴とする請求項１３に記載のサーバ。
【請求項１５】
前記背景イメージの所定の表示属性は、当該イメージの動きを定める表示属性を含むことを特徴とする請求項１３または１４に記載のサーバ。
【請求項１６】
前記テキストの所定の表示属性は、当該テキストの文字の動きの表示属性を含むことを特徴とする請求項１３〜１５のいずれかに記載のサーバ。
【請求項１７】
前記背景イメージの所定の表示属性は当該イメージの動きを定める表示属性を含み、前記テキストの表示属性は当該テキストの文字の動きの表示属性を含むことを特徴とする請求項１４に記載のサーバ。
【請求項１８】
前記通信ネットワークを介して、ユーザ対応に、キーワードとこのキーワードに対応する表示属性との登録を受け付ける手段を備えたことを特徴とする請求項１３〜１７のいずれかに記載のサーバ。
【手続補正２】
【補正対象書類名】明細書
【補正対象項目名】００１０
【補正方法】変更
【補正の内容】
【００１０】
【課題を解決するための手段】
本発明による端末装置は、  予め定められたキーワードを記憶する手段と、ユーザによるテキストの入力を受ける手段と、表示画面上に情報を表示する表示手段と、前記入力されたテキスト内に前記キーワードが存在するか否かをチェックする手段と、前記キーワードが存在した場合、当該テキストに対して、そのキーワードに対応する、当該テキストおよび／または背景イメージの所定の表示属性を付加する手段と、前記テキストに前記所定の表示属性が付加されたテキスト情報をメッセージとして通信ネットワークを介して送信する手段と、前記通信ネットワークを介してメッセージを受信する手段と、前記メッセージを前記表示画面上に表示する表示制御手段とを備えたことを特徴とする。
【手続補正３】
【補正対象書類名】明細書
【補正対象項目名】００１１
【補正方法】変更
【補正の内容】
【００１１】
この端末装置は、ユーザから入力されたテキスト内にキーワードが含まれるか否かをチェックし、含まれる場合には、そのキーワード対応に、当該テキストおよび／または背景イメージの表示属性を付加する。また、この表示属性が付加されたテキスト情報をメッセージとして通信ネットワークを介して送信する。また、通信ネットワークを介して受信したメッセージを前記表示画面上に表示する。
【手続補正４】
【補正対象書類名】明細書
【補正対象項目名】００１２
【補正方法】変更
【補正の内容】
【００１２】
前記背景イメージの所定の表示属性は、当該イメージの動きを定める表示属性をさらに含んでもよい。また、前記テキストの所定の表示属性は、当該テキストの文字の動きの表示属性を含んでもよい。
【手続補正５】
【補正対象書類名】明細書
【補正対象項目名】００１４
【補正方法】変更
【補正の内容】
【００１４】
本発明によるサーバは、通信ネットワークを介して端末装置と接続されるサーバであって、予め定められたキーワードを記憶する手段と、前記通信ネットワークを介して前記端末装置からテキストメッセージを受信する手段と、この受信されたテキスト内に前記キーワードが存在するか否かをチェックする手段と、前記キーワードが存在した場合、当該テキストに対して、そのキーワードに対応する、当該テキストおよび／または背景イメージの所定の表示属性を付加する手段と、前記テキストに前記所定の表示属性が付加されたメッセージを前記テキストメッセージの宛先に送信する手段とを備えたことを特徴とする。
【手続補正６】
【補正対象書類名】明細書
【補正対象項目名】００１５
【補正方法】変更
【補正の内容】
【００１５】
このサーバは、通信ネットワークを介して前記端末装置からテキストメッセージを受信し、この受信されたテキスト内にキーワードが存在するか否かをチェックする。キーワードが存在した場合には、当該テキストに対して、そのキーワードに対応対応する、当該テキストおよび／または背景イメージの所定の表示属性を付加し、メッセージを前記テキストメッセージの宛先に送信する。
【手続補正７】
【補正対象書類名】明細書
【補正対象項目名】００１６
【補正方法】変更
【補正の内容】
【００１６】
本発明による他のサーバは、通信ネットワークを介して端末装置と接続されるサーバであって、予め定められたキーワードを記憶する手段と、前記通信ネットワークを介して前記端末装置からテキストメッセージを受信する手段と、この受信されたテキスト内に前記キーワードが存在するか否かをチェックする手段と、前記キーワードが存在した場合、当該テキストに対して、そのキーワードに対応する当該テキストおよび／または背景イメージの所定の表示属性を付加する手段と、前記テキストに前記所定の表示属性が付加されたメッセージをウェブ情報の形式で前記テキストメッセージの宛先のユーザが閲覧できるように蓄積する手段とを備えたことを特徴とする。
【手続補正８】
【補正対象書類名】明細書
【補正対象項目名】００１７
【補正方法】変更
【補正の内容】
【００１７】
このサーバは、通信ネットワークを介して前記端末装置からテキストメッセージを受信し、この受信されたテキスト内にキーワードが存在するか否かをチェックする。キーワードが存在した場合には、当該テキストに対して、そのキーワードに対応する当該テキストおよび／または背景イメージの所定の表示属性を付加し、ウェブ情報の形式で前記テキストメッセージの宛先のユーザが閲覧できるように蓄積する。
【手続補正９】
【補正対象書類名】明細書
【補正対象項目名】００２６
【補正方法】変更
【補正の内容】
【００２６】
この端末１００は、電話および通信機能に関連した部位として、アンテナ３００、デュプレクサ（アンテナ共用器）３０１、受信部（ＲＸ）３０２、送信部（ＴＸ）３０３、デジタル信号処理部ＤＳＰ(Digital Signal Processor）３０４、スピーカ３０５、マイク３０６、イヤレシーバ３０７を含む。端末１００は、さらに、この端末の制御に関連した部位として、制御部３０８、表示部３０９、入力操作部３１１、ＲＯＭ３１３、ＲＡＭ３１４等を有する。制御部３０８は中央処理装置（ＣＰＵ）などから構成される。入力操作部３１１は端末の各種キーやボタン、ジョグダイヤル等に相当する。ＲＯＭ３１３には本実施の形態の後述する動作を実現するための制御プログラムが格納されている。ＲＯＭ３１３は、フラッシュＲＯＭのような再書き込み可能なメモリを含んでもよい。本実施の形態におけるフォントデータ、キーワード、テーブル等のデータはＲＯＭ３１３および／またはＲＡＭ３１４に格納される。各種文書等のデータはＲＡＭ３１４に格納される。